(57)【特許請求の範囲】
【請求項１】
荷重伝達のために内側と外側を連通する開口部を有し計量物が積載されるケースと、前記ケースの内側に連なって設けられ前記ケースに積載される計量物から伝達される荷重を検出する荷重検出部と、前記荷重検出部に連なって設けられ前記ケースの内側から開口部を通って外側にかけて形成し前記ケースに積載される計量物から伝達される荷重を受ける脚と、前記ケースの開口部を計量の際に開き非計量の際に密閉する開閉手段とを備えることを特徴とする防水型秤。
【請求項２】
前記開閉手段は、前記ケースに対して上下方向に前記脚を可動すると共にその上下方向における前記脚の位置の状態を保持する可動保持手段と、前記可動保持手段で前記脚を上方向に可動した位置の状態を保持する際に前記ケースの開口部を開封し前記可動保持手段で前記脚を下方向に可動した位置の状態を保持する際に前記ケースの開口部を密封する開密封部とから成ることを特徴とする請求項１記載の防水型秤。
【請求項３】
前記可動保持手段は、上下方向に摺動する面を有する前記脚と、前記荷重検出部に設けられる第１ベースと、前記第１ベースの下方に対向し前記ケースの内側に配置し前記脚に設けられる第２ベースと、前記第１ベースの下面に立設し摺動する面を有する支柱と、前記脚と前記支柱との間に設けられ上下方向に摺動する面を有する開閉スイッチと、前記第２ベースの上面に設けられ前記第２ベースに対して水平方向に可動する可動部と、前記第１ベースの下面に立設し非計量の際に前記可動部の上方向への可動を押さえ計量の際に前記可動部の水平方向への可動を押さえるストッパーと、前記可動部と前記開閉スイッチとをつなぎ前記開閉スイッチの可動に伴って前記可動部が所定の可動をするように変換する変換部と、前記脚及び前記開閉スイッチを押し返すように前記支柱に沿って設けられ所定の弾性力を有する圧縮ばねとから成り、前記開密封部は、前記脚が上方向へ所定の可動をした際に前記ケースと前記脚との間隙を開封し前記脚が下方向へ所定の可動をした際に前記ケースと前記脚との間隙を密封する位置となる前記ケース及び前記脚の少なくともいずれか一方側に設けられ柔軟で復元力を有する第１柔軟弾性部と、前記開閉スイッチが上方向へ所定の可動をした際に前記開閉スイッチと前記脚との間隙を開封し前記開閉スイッチが下方向へ所定の可動をした際に前記開閉スイッチと前記脚との間隙を密封する位置となる前記開閉スイッチ及び前記脚の少なくともいずれか一方側に設けられ柔軟で復元力を有する第２柔軟弾性部とから成ることを特徴とする請求項２記載の防水型秤。
【請求項４】
前記可動保持手段は、上下方向に摺動する面を有する前記脚と、前記荷重検出部に設けられる第１ベースと、前記第１ベースの下方に対向し前記ケースの内側に配置し前記脚に設けられる第２ベースと、前記第１ベースの下面に立設し摺動する面を有する支柱と、前記脚と前記支柱との間に設けられ上下方向に摺動する面を有する開閉スイッチと、前記第２ベースの上面に設けられ前記第２ベースに対して水平方向に可動する可動部と、前記第１ベースの下面に立設し非計量の際に前記可動部の上方向への可動を押さえ計量の際に前記可動部の水平方向への可動を押さえるストッパーと、前記可動部と前記開閉スイッチとをつなぎ前記開閉スイッチの可動に伴って前記可動部が所定の可動をするように変換する変換部と、前記脚及び前記開閉スイッチを押し返すように前記支柱に沿って設けられ所定の弾性力を有する圧縮ばねと、前記開閉スイッチと前記脚とが上下方向に摺動自在となるように前記開閉スイッチと前記脚との間隙を覆うように設けられ柔軟性を有する柔軟シート部とから成り、前記開密封部は、前記脚が上方向へ所定の可動をした際に前記ケースと前記脚との間隙を開封し前記脚が下方向へ所定の可動した際に前記ケースと前記脚との間隙を密封する位置となる前記ケース及び前記脚の少なくともいずれか一方側に設けられ柔軟で復元力を有する第１柔軟弾性部であることを特徴とする請求項２記載の防水型秤。
【請求項５】
前記可動保持手段は、上下方向に摺動する面を有する前記脚と、前記荷重検出部に設けられる第１ベースと、前記第１ベースの下方に対向し前記ケースの内側に配置し前記脚に設けられる第２ベースと、前記第１ベースの下面に立設し摺動する面を有する支柱と、前記第２ベースの上面に設けられ前記第２ベースに対して水平方向に可動する可動部と、前記可動部に設けられ前記ケースの内側から開口部を通って外側にかけて軸を形成するつまみと、前記ケースの内側に設けられ対向面を有する固定ブロックと、前記可動部に設けられ対向面を有し前記可動部が所定の可動をした際にこの対向面と前記固定ブロックの対向面とが接して下方向に押し下げられる位置に配置する可動ブロックと、前記固定ブロックと前記可動ブロックとの対向面同士が接して前記可動ブロックが下方向に押し下げられる位置の状態及び前記固定ブロックと前記可動ブロックとが離れている位置の状態を保持する保持部とから成り、前記開密封部は、前記脚が上方向へ所定の可動をした際に前記ケースと前記脚との間隙を開封し前記脚が下方向へ所定の可動をした際に前記ケースと前記脚との間隙を密封する位置となる前記ケース及び前記脚の少なくともいずれか一方側に設けられ柔軟で復元力を有する第１柔軟弾性部と、前記脚が上方向へ所定の可動をした際に前記ケースと前記つまみとの間隙を開封し前記脚が下方向へ所定の可動をした際に前記ケースと前記つまみとの間隙を密封する位置となる前記ケース及び前記つまみの少なくともいずれか一方側に設けられ柔軟で復元力を有する第３柔軟弾性部とから成ることを特徴とする請求項２記載の防水型秤。
【請求項６】
前記開閉スイッチと前記可動部と前記変換部と前記ストッパーとは、前記脚毎に設けられることを特徴とする請求項３又は４記載の防水型秤。
【請求項７】
前記ストッパーは、これと係わらない前記脚の近くに設けられることを特徴とする請求項６記載の防水型秤。
【請求項８】
前記第１柔軟弾性部は、前記ケースの内側から外側にかけて先端の狭まる斜面を有する錐状体を形成し前記脚の側面に一周して設けられ、前記ケースは、前記第１柔軟弾性部の錐状体の斜面に平行する斜面を開口部の端面に一周して形成することを特徴とする請求項３乃至７のいずれか１項に記載の防水型秤。
【請求項９】
前記脚は、前記ケースの内側から外側にかけて先端の狭まる傾斜を側面に一周して形成し、前記第１柔軟弾性部は、前記脚の側面の斜面に平行する斜面体を形成し前記ケースの開口部の端面に一周して設けられることを特徴とする請求項３乃至７のいずれか１項に記載の防水型秤。
【請求項１０】
前記第１柔軟弾性部は、前記ケースの内側から外側にかけて先端の狭まる斜面を有する錐状体を形成し前記脚の側面に一周して設けられると共に、前記脚の側面を一周して設けられる錐状体の斜面に平行する斜面体を形成し前記ケースの開口部の端面に一周して設けられることを特徴とする請求項３乃至７のいずれか１項に記載の防水型秤。
【請求項１１】
前記第２柔軟弾性部は、前記ケースの内側から外側にかけて先端の狭まる斜面を有する錐状体を形成し前記開閉スイッチの前記脚と摺動する面に一周して設けられ、前記開閉スイッチと摺動する前記脚は、前記柔軟弾性部の錐状体の斜面に平行する斜面を摺動する面に一周して形成することを特徴とする請求項３、６又は７記載の防水型秤。
【請求項１２】
前記開閉スイッチは、前記ケースの内側から外側にかけて先端の狭まる斜面を前記脚と摺動する面に一周して形成し、前記第２柔軟弾性部は、前記開閉スイッチの錐状体の斜面に平行する斜面体を形成し前記脚の摺動する面に一周して設けられることを特徴とする請求項３、６又は７記載の防水型秤。
【請求項１３】
前記第２柔軟弾性部は、前記ケースの内側から外側にかけて先端の狭まる斜面を有する錐状体を形成し前記開閉スイッチの前記脚と摺動する面に一周して設けられると共に、前記開閉スイッチの錐状体の斜面に平行する斜面体を形成し前記脚の摺動する面に一周して設けられることを特徴とする請求項３、６又は７記載の防水型秤。
【請求項１４】
前記第３柔軟弾性部は、前記ケースの内側から外側にかけて先端の狭まる斜面を有する錐状体を形成し前記つまみの可動軸の側面に一周して設けられ、前記ケースは、前記柔軟弾性部の錐状体の斜面に平行する斜面を開口部の端面に一周して形成することを特徴とする請求項５記載の防水型秤。
【請求項１５】
前記つまみは、前記ケースの内側から外側にかけて先端の狭まる斜面を可動軸の側面に一周して形成し、前記第３柔軟弾性部は、前記つまみの可動軸の側面の斜面に平行する斜面体を形成し前記ケースの開口部の端面に一周して設けられることを特徴とする請求項５記載の防水型秤。
【請求項１６】
前記第３柔軟弾性部は、前記ケースの内側から外側にかけて先端の狭まる斜面を有する錐状体を形成し前記つまみの可動軸の側面に一周して設けられると共に、前記つまみの可動軸の側面に設けられる錐状体の斜面に平行する斜面体を形成し前記ケースの開口部の端面に一周して設けられることを特徴とする請求項５記載の防水型秤。
【請求項１７】
前記第１柔軟弾性部は、前記脚の可動方向に先端が狭まる形状を成し、前記ケースの開口部の周端部の上面と前記周端部の上面に対向する前記第２ベースとの間に設けられることを特徴とする請求項３乃至７のいずれか１項に記載の防水型秤。
【請求項１８】
前記第２柔軟弾性部は、前記脚の可動方向に先端が狭まる形状を成し、前記脚の上面と前記脚の上面に対向する前記開閉スイッチとの間に設けられることを特徴とする請求項３、６又は７記載の防水型秤。
【請求項１９】
前記第３柔軟弾性部は、前記脚の可動方向に先端が狭まる形状を成し、前記ケースの開口部の周端部の上面と前記周端部の上面に対向する前記第２ベースとの間に設けられることを特徴とする請求項５記載の防水型秤。
【発明の詳細な説明】
【０００１】
【発明の属する技術分野】
本発明は、非計量の際に、荷重伝達のためにケースの内側と外側を連通する開口部を密閉して防水状態とする防水型秤に関する。
【０００２】
【従来の技術】
従来、非計量の際における防水型秤のケース外部に設けられる計量皿とケース内部に設けられる荷重検出部とを結ぶ間に有するケースの開口部から水や埃等がケース内部に入らないようにする手段として、皿受け部材（計量皿）とケーシング（ケース）との間にベローズやダイヤフラムを設けたものが提案されている（実開平１−１１８３２８号公報、実開平４−９４５２４号公報、特開平１１−２５８０３２号公報参照）。
【０００３】
【発明が解決しようとする課題】
しかしながら、上述した皿受け部材（計量皿）とケーシング（ケース）との間にベローズやダイヤフラムが設けられた防水型の秤（特に低秤量タイプ）は、計量のために被計量物を計量皿に載せたときに変形したベローズやダイヤフラムの復元力が計量誤差等の精度劣化を引き起こすという問題があった。
【０００４】
そこで、本発明は、上記のような従来の問題点を解決することを目的とするもので、計量の際には精度低下を引き起こさずに計量でき、非計量の際には荷重伝達のためにケースの内側と外側を連通する開口部を密閉できる防水型秤を提供することを課題とする。
【０００５】
【課題を解決するための手段】
上記目的を達成するために、本発明の防水型秤は、荷重伝達のために内側と外側を連通する開口部を有し計量物が積載されるケースと、前記ケースの内側に連なって設けられ前記ケースに積載される計量物から伝達される荷重を検出する荷重検出部と、前記荷重検出部に連なって設けられ前記ケースの内側から開口部を通って外側にかけて形成し前記ケースに積載される計量物から伝達される荷重を受ける脚と、前記ケースの開口部を計量の際に開き非計量の際に密閉する開閉手段とを備えることを特徴とする。
【０００６】
これによると、計量の際には、開閉手段によってケースの開口部が開かれるので、通常の状態で計量を行うことができ精度低下を引き起こさない。一方、非計量の際には、開閉手段によってケースの開口部が密閉されるので、水や埃の浸入を防ぐことができる。
【０００７】
また、前記開閉手段は、前記ケースに対して上下方向に前記脚を可動すると共にその上下方向における前記脚の位置の状態を保持する可動保持手段と、前記可動保持手段で前記脚を上方向に可動した位置の状態を保持する際に前記ケースの開口部を開封し前記可動保持手段で前記脚を下方向に可動した位置の状態を保持する際に前記ケースの開口部を密封する開密封部とから成ることを特徴とする。
【０００８】
これによると、可動保持手段で脚を上方向に可動した位置の状態を保持する際に開密封部によってケースの開口部が開封されるので、通常に計量を行うことができ精度低下を引き起こさない。一方、可動保持手段によって脚を下方向に可動した位置の状態が保持される際に開密封部によってケースの開口部が密封されるので、水や埃の浸入を防ぐことができる。
【０００９】
また、前記可動保持手段は、上下方向に摺動する面を有する前記脚と、前記荷重検出部に設けられる第１ベースと、前記第１ベースの下方に対向し前記ケースの内側に配置し前記脚に設けられる第２ベースと、前記第１ベースの下面に立設し摺動する面を有する支柱と、前記脚と前記支柱との間の少なくとも一箇所に設けられ上下方向に摺動する面を有する開閉スイッチと、前記第２ベースの上面に設けられ前記第２ベースに対して水平方向に可動する可動部と、前記第１ベースの下面に立設し非計量の際に前記可動部の上方向への可動を押さえ計量の際に前記可動部の水平方向への可動を押さえるストッパーと、前記可動部と前記開閉スイッチとをつなぎ前記開閉スイッチの可動に伴って前記可動部が所定の可動をするように変換する変換部と、前記脚及び前記開閉スイッチを押し返すように前記支柱に沿って設けられ所定の弾性力を有する圧縮ばねとから成り、前記開密封部は、前記脚が上方向へ所定の可動をした際に前記ケースと前記脚との間隙を開封し前記脚が下方向へ所定の可動をした際に前記ケースと前記脚との間隙を密封する位置となる前記ケース及び前記脚の少なくともいずれか一方側に設けられ柔軟で復元力を有する第１柔軟弾性部と、前記開閉スイッチが上方向へ所定の可動をした際に前記開閉スイッチと前記脚との間隙を開封し前記開閉スイッチが下方向へ所定の可動をした際に前記開閉スイッチと前記脚との間隙を密封する位置となる前記開閉スイッチ及び前記脚の少なくともいずれか一方側に設けられ柔軟で復元力を有する第２柔軟弾性部とから成ることを特徴とする。
【００１０】
これによると、本件防水型秤が設置面に置かれた際には、開閉スイッチが上方向に可動し、変換部がこの上方向の動きを水平方向の動きに変換し、可動部がこの水平方向の動きによって可動し、ストッパーが解放される。そして、更に脚が上方向に可動し、第１柔軟弾性部と第２柔軟弾性部とが開封し、支柱を介しての荷重伝達が可能となるので、通常に計量を行うことができ精度低下を引き起こさない。一方、本件防水型秤が設置面から離れた際には、圧縮ばねによって脚及びストッパーが下方向に可動し、変換部がこの下方向の動きを水平方向の動きに変換し、可動部がこの水平方向の動きによって可動し、ストッパーが上下方向に可動部を制限し、第１柔軟弾性部がケースと脚との間隙を密封し、第２柔軟弾性部が開閉スイッチと脚との間隙を密封するので、水や埃の浸入を防ぐことができる。
【００１１】
また、前記可動保持手段は、上下方向に摺動する面を有する前記脚と、前記荷重検出部に設けられる第１ベースと、前記第１ベースの下方に対向し前記ケースの内側に配置し前記脚に設けられる第２ベースと、前記第１ベースの下面に立設し摺動する面を有する支柱と、前記脚と前記支柱との間の少なくとも１ヶ所に設けられ上下方向に摺動する面を有する開閉スイッチと、前記第２ベースの上面に設けられ前記第２ベースに対して水平方向に可動する可動部と、前記第１ベースの下面に立設し非計量の際に前記可動部の上方向への可動を押さえ計量の際に前記可動部の水平方向への可動を押さえるストッパーと、前記可動部と前記開閉スイッチとをつなぎ前記開閉スイッチの可動に伴って前記可動部が所定の可動をするように変換する変換部と、前記支柱に設けられ所定の弾性力を有する圧縮ばねと、前記開閉スイッチと前記脚とが上下方向に摺動自在となるように前記開閉スイッチと前記脚との間隙を覆うように設けられ柔軟性を有する柔軟シート部とから成り、前記開密封部は、前記脚が上方向へ所定の可動をした際に前記ケースと前記脚との間隙を開封し前記脚が下方向へ所定の可動した際に前記ケースと前記脚との間隙を密封する位置となる前記ケース及び前記脚の少なくともいずれか一方側に設けられ柔軟で復元力を有する第１柔軟弾性部であることを特徴とする。
【００１２】
これによると、本件防水型秤が設置面に置かれた際には、柔軟シート部が柔軟性を有したまま、開閉スイッチが上方向に可動し、変換部がこの上方向の動きを水平方向の動きに変換し、可動部がこの水平方向の動きによって可動し、ストッパーが解放される。そして、更に脚が上方向に可動し、第１柔軟弾性部が開封し、支柱を介しての荷重伝達が可能となるので、通常に計量を行うことができ精度低下を引き起こさない。一方、本件防水型秤が設置面から離れた際には、圧縮ばねによって脚及びストッパーが下方向に可動し、変換部がこの下方向の動きを水平方向の動きに変換し、可動部がこの水平方向の動きによって可動し、ストッパーが上下方向に可動部を制限し、第１柔軟弾性部がケースと脚との間隙を密封すると共に、柔軟シート部が開閉スイッチと脚との間隙を覆うので、水や埃の浸入を防ぐことができる。
【００１３】
また、前記可動保持手段は、上下方向に摺動する面を有する前記脚と、前記荷重検出部に設けられる第１ベースと、前記第１ベースの下方に対向し前記ケースの内側に配置し前記脚に設けられる第２ベースと、前記第１ベースの下面に立設し摺動する面を有する支柱と、前記第２ベースの上面に設けられ前記第２ベースに対して水平方向に可動する可動部と、前記可動部に設けられ前記ケースの内側から開口部を通って外側にかけて軸を形成するつまみと、前記ケースの内側に設けられ対向面を有する固定ブロックと、前記可動部に設けられ対向面を有し前記可動部が所定の可動をした際にこの対向面と前記固定ブロックの対向面とが接して下方向に押し下げられる位置に配置する可動ブロックと、前記固定ブロックと前記可動ブロックとの対向面同士が接して前記可動ブロックが下方向に押し下げられる位置の状態及び前記固定ブロックと前記可動ブロックとが離れている位置の状態を保持する保持部とから成り、前記開密封部は、前記脚が上方向へ所定の可動をした際に前記ケースと前記脚との間隙を開封し前記脚が下方向へ所定の可動をした際に前記ケースと前記脚との間隙を密封する位置となる前記ケース及び前記脚の少なくともいずれか一方側に設けられ柔軟で復元力を有する第１柔軟弾性部と、前記脚が上方向へ所定の可動をした際に前記ケースと前記つまみとの間隙を開封し前記脚が下方向へ所定の可動をした際に前記ケースと前記つまみとの間隙を密封する位置となる前記ケース及び前記つまみの少なくともいずれか一方側に設けられ柔軟で復元力を有する第３柔軟弾性部とから成ることを特徴とする。
【００１４】
これによると、つまみを作動することによって可動部が水平方向に可動し、可動ブロックが固定ブロックと接して下方向に押し下げられ、その位置の状態が保持部によって保持される。その際には、第１柔軟弾性部によってケースと脚との間隙が密封され、第３柔軟弾性部によってケースとつまみとの間隙が密封されるので、水や埃の浸入を防ぐことができる。一方、つまみを作動することによって可動部が水平方向に可動し、固定ブロックと可動ブロックとが離れた状態にもなり、その位置の状態が保持部によって保持される。その際には、脚が上方向に可動し、第１柔軟弾性部と第３柔軟弾性部とが開封し、支柱を介しての荷重伝達が可能となるので、通常に計量を行うことができ精度低下を引き起こさない。
【００１５】
また、前記開閉スイッチと前記可動部と前記変換部と前記ストッパーとは、前記脚毎に設けられることを特徴とする。
【００１６】
これによると、非計量の際にすべての脚の個数に対応した複数のストッパーによって、可動部すなわち脚の上方向への可動を押さえているので、外側から脚が押された際の脚とケースとの間隙の発生を強固に防ぐことができる。
【００１７】
また、前記ストッパーは、これと係わらない前記脚の近くに設けられることを特徴とする。
【００１８】
これによると、ある１ヶ所の開閉スイッチが押された際に、この開閉スイッチと係わる脚が、この開閉スイッチと係わらないストッパーによって上方向への可動を押さえられるので、脚とケースとの間隙の発生を防ぐことができる。
【００１９】
また、前記第１柔軟弾性部は、前記ケースの内側から外側にかけて先端の狭まる斜面を有する錐状体を形成し前記脚の側面に一周して設けられ、前記ケースは、前記第１柔軟弾性部の錐状体の斜面に平行する斜面を開口部の端面に一周して形成することを特徴とする。
【００２０】
また、前記脚は、前記ケースの内側から外側にかけて先端の狭まる傾斜を側面に一周して形成し、前記第１柔軟弾性部は、前記脚の側面の斜面に平行する斜面体を形成し前記ケースの開口部の端面に一周して設けられることを特徴とする。
【００２１】
また、前記第１柔軟弾性部は、前記ケースの内側から外側にかけて先端の狭まる斜面を有する錐状体を形成し前記脚の側面に一周して設けられると共に、前記脚の側面を一周して設けられる錐状体の斜面に平行する斜面体を形成し前記ケースの開口部の端面に一周して設けられることを特徴とする。
【００２２】
これらによると、脚の側面にはケースの内側から外側にかけて先端の狭まる斜面を有するので、ケースと脚との間隙が開封された際に、そこに付着していた水滴は、この斜面を伝わってケースの外側に流れる。したがって、ケースと脚との間隙が開封された際のケースの内側への水滴の浸入を防ぐことができる。
【００２３】
また、前記第２柔軟弾性部は、前記ケースの内側から外側にかけて先端の狭まる斜面を有する錐状体を形成し前記開閉スイッチの前記脚と摺動する面に一周して設けられ、前記開閉スイッチと摺動する前記脚は、前記柔軟弾性部の錐状体の斜面に平行する斜面を摺動する面に一周して形成することを特徴とする。
【００２４】
また、前記開閉スイッチは、前記ケースの内側から外側にかけて先端の狭まる斜面を前記脚と摺動する面に一周して形成し、前記第２柔軟弾性部は、前記開閉スイッチの錐状体の斜面に平行する斜面体を形成し前記脚の摺動する面に一周して設けられることを特徴とする。
【００２５】
また、前記第２柔軟弾性部は、前記ケースの内側から外側にかけて先端の狭まる斜面を有する錐状体を形成し前記開閉スイッチの前記脚と摺動する面に一周して設けられると共に、前記開閉スイッチの錐状体の斜面に平行する斜面体を形成し前記脚の摺動する面に一周して設けられることを特徴とする。
【００２６】
これらによると、開閉スイッチの摺動する面にはケースの内側から外側にかけて先端の狭まる斜面を有するので、開閉スイッチと脚との間隙が開封された際に、そこに付着していた水滴は、この斜面を伝わってケースの外側に流れる。したがって、開閉スイッチと脚との間隙が開封された際のケースの内側への水滴の浸入を防ぐことができる。
【００２７】
また、前記第３柔軟弾性部は、前記ケースの内側から外側にかけて先端の狭まる斜面を有する錐状体を形成し前記つまみの可動軸の側面に一周して設けられ、前記ケースは、前記柔軟弾性部の錐状体の斜面に平行する斜面を開口部の端面に一周して形成することを特徴とする。
【００２８】
また、前記つまみは、前記ケースの内側から外側にかけて先端の狭まる斜面を可動軸の側面に一周して形成し、前記第３柔軟弾性部は、前記つまみの可動軸の側面の斜面に平行する斜面体を形成し前記ケースの開口部の端面に一周して設けられることを特徴とする。
【００２９】
また、前記第３柔軟弾性部は、前記ケースの内側から外側にかけて先端の狭まる斜面を有する錐状体を形成し前記つまみの可動軸の側面に一周して設けられると共に、前記つまみの可動軸の側面に設けられる錐状体の斜面に平行する斜面体を形成し前記ケースの開口部の端面に一周して設けられることを特徴とする。
【００３０】
これらによると、つまみの可動軸の側面にはケースの内側から外側にかけて先端の狭まる斜面を有するので、ケースとつまみとの間隙が開封された際に、そこに付着していた水滴は、この斜面を伝わってケースの外側に流れる。したがって、開閉スイッチとつまみとの間隙が開封された際のケースの内側への水滴の浸入を防ぐことができる。
【００３１】
また、前記第１柔軟弾性部は、前記脚の可動方向に先端が狭まる形状を成し、前記ケースの開口部の周端部の上面と前記周端部の上面に対向する前記第２ベースとの間に設けられることを特徴とする。
【００３２】
また、前記第２柔軟弾性部は、前記脚の可動方向に先端が狭まる形状を成し、前記脚の上面と前記脚の上面に対向する前記開閉スイッチとの間に設けられることを特徴とする。
【００３３】
また、前記第３柔軟弾性部は、前記脚の可動方向に先端が狭まる形状を成し、前記ケースの開口部の周端部の上面と前記周端部の上面に対向する前記第２ベースとの間に設けられることを特徴とする。
【００３４】
これらによると、脚の可動方向に先端が狭まる形状の先端部分が各上面と接触して押された際に大きな変形を伴いながら密封するので、確実に水や埃の浸入を防ぐことができる。
【００３５】
【発明の実施の形態】
以下、本発明の実施の形態について図面を用いて説明する。
【００３６】
まず初めに、床やテーブル等の設置面から離れた際に、自動的にケースと脚との間隙を密封する態様である第１の実施の形態について詳述する。
【００３７】
図１に本発明に係わる防水型秤の外観を斜視図に、図２に設置面に配置される前の状態を断面図に、図３に設置面に配置途中の状態を断面図に、図４に設置面に配置された状態を断面図に、図５に設置面に配置される前の状態から抜粋した内部機構を斜視図に、図６に設置面に配置途中の状態から抜粋した内部機構を斜視図に、図７に設置面に配置された状態から抜粋した内部機構を斜視図に示す。
【００３８】
本発明における第１の実施の形態の防水型秤は、荷重伝達のために内側と外側を連通する開口部ａを４ヵ所に有し計量物が積載されるケース１と４つの脚１６、１７とで秤の外形を形成する。このケース１には、樹脂・ダイカスト・板金等の成形品が用いられる。
【００３９】
このケース１の表面には、電源スイッチ２と表示部３とを備える。また、ケース１の内部には、荷重検出部４、第１ベース５、支柱６、７、ストッパー８、第２ベース９、可動部１０、変換部１１、圧縮ばね１２、１３、第１柔軟弾性部１４、第２柔軟弾性部１５、計測処理部（図示省略）及び電源（図示省略）を備える。更に、ケース１の内側から外側にかけて脚１６、１７と開閉スイッチ１８とを備える。
【００４０】
電源は、電気系各部への電力の供給源である。この電源には、乾電池、ＡＣアダプター又はソーラーバッテリー等が用いられる。電源スイッチ２は、電源の入切をする。
【００４１】
荷重検出部４は、ケース１の内側に連なって設けられケース１に積載される計量物から伝達される荷重を検出する。この荷重検出部４には、静電容量式・電気抵抗線式等のロバーバル機構のセンサーが用いられる。
【００４２】
計測処理部は、荷重検出部４で検出される荷重信号に基づいて計量値等の結果を求めて出力する。この計測処理部には、増幅回路・Ａ／Ｄ変換回路・記憶装置・ＣＰＵ等が実装された公知の電子基板ユニットが用いられる。
【００４３】
表示部３は、計測処理部で出力された計量値等の結果を表示する。この表示部３には、ＬＣＤ又はＬＥＤ等が用いられる。
【００４４】
第１ベース５は、荷重検出部４に連なって設けられ、剛性の高い平板状体から成る。支柱６、７は、摺動する面を有し第１ベース５の下面の４ヵ所（支柱６が３ヵ所（その内の２箇所は図示省略）、支柱７が１箇所）にケース１の開口部ａに向かって立設する。第２ベース８は、第１ベース５の下方に対向して配置し、剛性の高い平板状体から成る。
【００４５】
脚１６、１７は、上下方向に摺動する面を有すると共にケース１の内側から開口部ａを通って外側にかけて形成し、第２ベース９の４ヵ所（脚１６が３ヵ所（その内の２箇所は図示省略）、脚１７が１箇所）に設けられる。そして、このうちの３ヵ所の脚１６は、この上下方向に摺動する面についてを３ヵ所の支柱６の上下方向に摺動する面に摺接する。
【００４６】
開閉スイッチ１８は、上下方向に摺動する面を内側と外側に有して形成する。そして、外側の上下方向に摺動する面については、１ヶ所の脚１７の上下方向に摺動する面に摺接する。また、内側の上下方向に摺動する面については、１ヵ所の支柱７の上下方向に摺動する面に摺接する。
【００４７】
圧縮ばね１２、１３は、所定の弾性力を有する。そして、圧縮ばね１２は、第１ベース５と３ヶ所の脚１６との間の３ヵ所の支柱６に沿って設けられる。また、圧縮ばね１３は、第１ベース５と１ヶ所の脚１７との間の１ヵ所の支柱７に沿って設けられる。なお、ここで所定の弾性力とは、本件の防水型秤を計量のため設置面Ｆに置いた際に、脚１６、１７、開閉スイッチ１８、第２ベース９、可動部１０、変換部１１を除いた各部を合計した自重によって、脚１６及び開閉スイッチ１８と支柱６、７とが摺動し、ケース１の開口部ａが開封状態となるまでに、脚１６、１７及び開閉スイッチ１８が上方向（又はケース１が下方向）に可動することが可能なばね定数である。かつ、本件の防水型秤を非計量のため設置面Ｆから離して保持した際に、脚１６及び開閉スイッチ１８と支柱６、７とが逆に摺動し、ケース１の開口部ａが密封状態となるまでに、脚１６、１７及び開閉スイッチ１８が下方向（又はケース１が上方向）に可動することが可能なばね定数である。
【００４８】
可動部１０は、上下方向に孔ｂを有する長手状板であり、第２ベース９の上面を水平方向に直線的に摺接する。ストッパー８は、非計量の際に可動部１０の上面と接する長さで、計量の際に可動部１０の孔ｂの側面と接するような太さの棒状体で第１ベース５の下面に立設する。
【００４９】
変換部１１は、可動部１０と開閉スイッチ１８とを連結するＬ型リンク片１１ａと、このＬ型リンク片１１ａのコーナー部を回動自在に支持し第２ベース９に立設するＬ型リンク片用軸柱１１ｂとから成り、開閉スイッチ１８の可動に伴って可動部１０が所定の可動をする。なお、ここで所定の可動とは、ケース１が設置場所に置かれて設置面Ｆと接する脚１７及び開閉スイッチ１８の面が同一平面上になった場合（図３、４、６、７）には、可動部１０の孔ｂとストッパー８との位置が一致し、ケース１が設置場所から持ち上げられて脚１７及び開閉スイッチ１８の面が同一平面上でなくなった場合（図２、５）には、可動部１０の孔ｂから外れた位置となる動きをいう。また、Ｌ型リンク片１１ａにおける可動部１０と開閉スイッチ１８と連結する部分は、可動部１０と開閉スイッチ１８とが円滑に可動するような適度な自由度を有する。
【００５０】
第１柔軟弾性部１４は、柔軟で復元力を有する。そして、脚１６、１７が上方向へ所定の可動をした際にケース１と脚１６、１７との間隙（ケース１の開口部ａ）を開封し、脚１６，１７が下方向へ所定の可動をした際にケース１と脚１６、１７との間隙（ケース１の開口部ａ）を密封する脚側の位置に設けられる。なお、ここで所定の可動とは、圧縮ばね１２、１３の所定の弾性力の作用によって生ずる可動をいう。
【００５１】
第２柔軟弾性部１５は、柔軟で復元力を有する。そして、開閉スイッチ１８が上方向へ所定の可動をした際に開閉スイッチ１８と脚１７との間隙（ケース１の開口部ａ）を開封し、開閉スイッチ１８が下方向へ所定の可動をした際に開閉スイッチ１８と脚１７との間隙（ケース１の開口部ａ）を密封する開閉スイッチ側の位置に設けられる。なお、ここで所定の可動とは、圧縮ばね１３の所定の弾性力の作用によって生ずる可動をいう。
【００５２】
なお、上述したうちの第１ベース５、支柱６、７、ストッパー８、第２ベース９、可動部１０、変換部１１、圧縮ばね１２、１３、脚１６、１７及び開閉スイッチ１８によって、ケース１に対して上下方向に脚１６、１７を可動すると共にその上下方向における脚１６、１７の位置の状態を保持する可動保持手段を構成する。
【００５３】
また、第１柔軟弾性部１４と第２柔軟弾性部１５とによって、可動保持手段で脚１６，１７を上方向に可動した位置の状態を保持する際にケース１の開口部ａを開封し、可動保持手段で脚１６，１７を下方向に可動した位置の状態を保持する際にケース１の開口部ａを密封する開密封部を構成する。
【００５４】
第１の実施の形態の防水型秤は、上述のように構成され、次のような使用及び取扱いに伴って防水あるいは非防水の状態となる動作をする。
【００５５】
第１の実施の形態の防水型秤は、ケース１を床やテーブル等の設置面Ｆから離して保持することによって、可動保持手段が自動的に作動して、図２に示すようにケースの開口部ａが密封された防水状態となる。
【００５６】
この防水状態とするための可動保持手段の自動的な作動について詳述する。脚１６、１７及び開閉スイッチ１８が設置面Ｆから離れることによって、第１ベース５と脚１６との間の圧縮ばね１２が脚１６を、第１ベース５と開閉スイッチ１８との間の圧縮ばね１３が開閉スイッチ１８をケース１に対して下方向に押す。これによって、脚１６、１７、開閉スイッチ１８、第２ベース９、変換部１１、可動部１０及び第１柔軟弾性部１４は、一様にケースに対して下方向に下がる。その際、脚側に設けられている第１柔軟弾性部１４が、ケース１と脚１６、１７との間隙を密封する。また、開閉スイッチ側に設けられている第２柔軟弾性部１５が、脚１７と開閉スイッチ１８との間隙を密封する。すなわち、ケース１と脚１６、１７との間隙及び脚１７と開閉スイッチ１８との間隙の部位を示すケースの開口部ａが密封された防水状態となる。
【００５７】
一方、第１の実施の形態の防水型秤は、計量する場合には、床やテーブル等の設置面Ｆに置くことによって、可動保持手段が自動的に作動して、図４に示すようにケース１の開口部ａが開封された非防水状態となり、公知の一般的な秤と同様に電源スイッチ２を押して電源を入れ、計量物をケース１に載せることによって使用可能となる。
【００５８】
この非防水状態とするための可動保持手段の自動的な作動について詳述する。設置面Ｆに置くことによって、まず、図３及び図６に示すように、脚１６、１７、開閉スイッチ１８、第２ベース９、可動部１０、変換部１１を除いた各部を合計した自重によって、開閉スイッチ１８がケース１に対して上方向に可動する。この開閉スイッチ１８の移動に伴って、Ｌ型リンク片１１ａがコーナー部を中心として回動する。このＬ型リンク片１１ａの回動に伴って、可動部１０が第２ベース９の上面上を水平方向に移動する。そして、設置面Ｆと接する脚１７の底面と開閉スイッチ１８の底面とが同一平面上になった際に、可動部１０の孔ｂとストッパー８との位置が一致する。
【００５９】
続いて、図４及び図７に示すように、設置面Ｆと接する脚１７の底面と開閉スイッチ１８の底面とが同一平面上のまま更に、脚１６、１７、開閉スイッチ１８、第２ベース９、可動部１０、変換部１１、圧縮ばね１２、１３、第１柔軟弾性部１４及び第２柔軟弾性部１５を除いた各部を合計した自重によって、脚１６、１７もケース１に対して上方向に可動する。この脚１６、１７の移動に伴って、ストッパー８は可動部１０の孔ｂに挿入する。脚１６の摺接する面の底と支柱６の摺接する面の端及び開閉スイッチ１８の摺接する面の底と支柱７の摺接する面の端とが当接することで、ケース１に対する上方向への可動が止まる。その際、脚側に設けられている第１柔軟弾性部１４が、ケース１と脚１６、１７との間隙を開封する。また、開閉スイッチ側に設けられている第２柔軟弾性部１５が、脚１７と開閉スイッチ１８との間隙を開封する。すなわち、ケース１と脚１６、１７との間隙及び脚１７と開閉スイッチ１８との間隙の部位を示すケース１の開口部ａが開封された非防水状態となる。
【００６０】
そして、この非防水状態の状態で、ケース１に計量物を載せることにより、荷重検出部４の一端側へと荷重が伝わると共に、設置面Ｆから脚１６、１７及び開閉スイッチ１８へ、この脚１６、１７及び開閉スイッチ１８から支柱６、７へ、この支柱６、７から第１ベース５へ、この第１ベース５から荷重検出部４の他端側へと荷重に対する反力が伝わり、公知の秤と同様に正常に測定ができる。
【００６１】
なお、先の防水状態とするための可動保持手段の自動的な作動についてで説明したようにケース１を床やテーブル等の設置面Ｆから離して保持することによって、各部が非防水状態への動作と逆の動作をして非防水状態から防水状態となる。
【００６２】
上述においては、開閉スイッチ１８と可動部１０と変換部１１とストッパー８とは、４ヵ所の脚１６、１７のうち１ヵ所の脚１７に設けたが、他の３ヵ所の脚１６にも設けてもよい。換言すると、１ヵ所以上ならば実施可能である。そして、すべての脚１６、１７に設けられることが最良である。これによると、非計量の際にすべての脚１６、１７の個数に対応した複数のストッパー８によって、可動部１０すなわち脚１６、１７の上方向への可動を押さえているので、外側から脚１６、１７が押された際の脚１６、１７とケース１との間隙の発生を強固に防ぐことができる。
【００６３】
また、上述において、ストッパー８は、可動部１０と変換部１１と開閉スイッチ１８とを中間として、一連につながる脚１７とは別の脚１６の近くに位置するが、一連につながる脚１７の近くに位置してもも実施可能である。ただし、ストッパー８が別の脚１６の近くに位置する場合の方が、ある１ヶ所の開閉スイッチ１８が押された際に、この開閉スイッチ１８と一連につながる脚１７は、この開閉スイッチ１８と一連につながらないストッパーによって上方向への可動が押さえられるので、脚１７とケース１との間隙の発生を防ぐことができる。
【００６４】
上述した基本例のように、床やテーブル等の設置面Ｆから離れた際に、自動的にケース１と脚１６、１７との間隙及び脚１７と開閉スイッチ１８との間隙が密封する態様の第１の実施の形態の防水型秤は、次のような変形例のような態様であっても同様に実施可能である。
【００６５】
その変形例の一つめ（変形例１）として、図８に設置面に配置される前の状態を断面図に、図９に設置面に配置途中の状態を断面図に、図１０に設置面に配置された状態を断面図に、図１１に設置面に配置される前の状態から抜粋した内部機構を斜視図に、図１２に設置面に配置途中の状態から抜粋した内部機構を斜視図に、図１３に設置面に配置された状態のから抜粋した内部機構を斜視図に示す。なお、この変形例１では、図面中、基本例と同じ部分については同じ符号を付し、基本例と異なる部分については異なる符合を付すと共に、基本例と異なる部分についてのみ詳述する。
【００６６】
支柱３７は、その摺動する面に上下方向に直線を有する直状凸部３７ａを形成する。開閉スイッチ４８は、この支柱３７の凸部３７ａにより誘導される凹部を内側に有する。可動部４０は、上下方向に孔ｃを有する扇形状板であり、開閉スイッチ４８を中心として水平方向に回転することにより第２ベース９の上面を水平方向に摺接する。変換部４１は、開閉スイッチ４８の外側の摺動する面に上下方向に形成される緩やかな曲を有する曲状凸部４１ａと、開閉スイッチ４８の外側の摺動する面と摺接して曲状凸部４１ａにより誘導される凹部を内側に有し可動部３０の回転中心部に形成されるリング状部４１ｂとから成る。
【００６７】
このように構成することで、支柱３７の摺動する面を直状凸部３７ａに沿って開閉スイッチ４８が上下方向への可動する。これに伴って、開閉スイッチ４８に形成される凸部４１ａにリング状部４１ｂの凹部が誘導されて可動部３０が第２ベース９の上面上を水平方向に移動する。
【００６８】
そして、この際、設置面Ｆと接する脚１７の底面と開閉スイッチ４８の底面とが同一平面上にない場合には、ストッパー８は可動部４０の上面に接する（図８、図１１）。また、開閉スイッチ４８だけがケース１に対して上方向に可動し、設置面Ｆと接する脚１７の底面と開閉スイッチ４８の底面とが同一平面上になった場合には、可動部４０の孔ｃとストッパー８との位置が一致する（図９、図１２）。更に、脚１６、１７もケース１に対して上方向に可動することによって、ストッパー８は可動部４０の孔ｃに挿入する（図１０、図１３）。したがって、同様に防水・非防水の状態を得ることができる。
【００６９】
また、変形例の二つめ（変形例２）として、図１４に設置面に配置される前の状態を斜視図に、図１５に設置面に配置途中の状態を斜視図に、図１６に設置面に配置された状態を斜視図に、図１７に第２ベースと可動部との回転部の部分半断面図に示す。なお、この変形例２では、図面中、基本例と同じ部分については同じ符号を付し、基本例と異なる部分については異なる符合を付すと共に、基本例と異なる部分についてのみ詳述する。
【００７０】
第２ベース６９は、上面の中央に回転軸６９ａを有する。可動部７０は、上下方向に孔ｄを有する円状板７０ａと、内側が回転軸６９ａと摺接し外側を波状に形成し円状板の中央に設けられる回転軸受け７０ｂとから成る。
【００７１】
変換部７１は、開閉スイッチ７８と一端部を接続するＬ型リンク片７１ａと、このＬ型リンク片７１ａのコーナー部を回動自在に支持し第２ベース６９に立設するＬ型リンク片用軸柱７１ｂと、Ｌ型リンク片７１ａの他端部に回動自在に一端部を連結するＩ型リンク片７１ｃと、このＩ型リンク片７１ｃの他端部に回動自在に一端部を連結し回転軸受け７０ｂの波状部と噛み合う波状部を有する波状片７１ｄと、第２ベース６９に立設し波状片７１ｄの回転中心部を回転自在に支持する波状片用軸柱７１ｅと、波状片７１ｄの他端部を引っ張る引張ばね７１ｆと、第２ベース６９に立設し引張ばね７１ｆの一端を固定するばね用柱７１ｇとから成る。
【００７２】
このように構成することで、開閉スイッチ７８の上下方向への可動に伴って、Ｌ型リンク片７１ａがコーナー部を中心として回動する。そして、このＬ型リンク片７１ａの回動に伴って、Ｉ型リンク片７１ｃが水平方向に可動する。更に、このＩ型リンク片７１ｃの回動に伴って、波状片７１ｄが回転中心部を中心として回動する。また更に、この波状片７１ｄの回動に伴って、回転軸受け７０ｂが追従して可動部７０が回動する。なお、開閉スイッチ７８が上方向へ可動した際には、引張ばね７１ｆは更に伸び、開閉スイッチ７８が上方向へ可動した際に可動部７０を回転しながら波状片７１ｄを引き戻す作用をする。
【００７３】
そして、この際、設置面Ｆと接する脚１７の底面と開閉スイッチ７８の底面とが同一平面上にない場合には、ストッパー８は可動部７０の上面に接する。また、開閉スイッチ７８だけがケース１に対して上方向に可動し、設置面Ｆと接する脚１７の底面と開閉スイッチ７８の底面とが同一平面上になった場合には、可動部７０の孔ｄとストッパー８との位置が一致する（図１５）。更に、脚１６、１７もケース１に対して上方向に可動することによって、ストッパー８は可動部７０の孔ｄに挿入する（図１６）。したがって、同様に防水・非防水の状態を得ることができる。
【００７４】
次に、手動的にケースと脚との間隙を密封する態様である第２の実施の形態について詳述する。
【００７５】
図１８に本発明に係わる防水型秤の防水状態の際の状態を斜視図に、図１９に防水状態の際のケースの開口部を部分断面図に、図２０に保持部の詳細を部分拡大図に、図２１に本発明に係わる防水型秤の非防水状態の際の状態を斜視図に、図２２に非防水状態の際のケースの開口部を部分断面図に示す。
【００７６】
本発明における第２の実施の形態の防水型秤は、荷重伝達のために内側と外側を連通する開口部ｅを５ヵ所に有し計量物が積載されるケース９１と４つの脚１１６と１つのつまみ１１０とで秤の外形を形成する。このケース９１には、樹脂・ダイカスト・板金等の成形品が用いられる。
【００７７】
このケース９１の表面には、第１の実施の形態と同様に電源スイッチ（図示省略）と表示部（図示省略）とを備える。また、ケース９１の内部には、荷重検出部９４、第１ベース９５、支柱９６、第２ベース９９、可動部１００、つまみ１１０、固定ブロック１１１、可動ブロック１１２、保持部１１３、第１柔軟弾性部１０４、第３柔軟弾性部１１４、計測処理部（図示省略）及び電源（図示省略）を備える。更に、ケース９１の内側から外側にかけて脚１１６を備える。
【００７８】
電源、電源スイッチ、荷重検出部９４、支柱９６、計測処理部、表示部、第１ベース９５、脚１１６及び第１柔軟弾性部１０４は、第１の実施の形態と同様であるので説明を省略する。
【００７９】
固定ブロック１１１は、対向面を有しケース９１の内側に固設される。第２ベース９９は、第１ベース９５の下方に対向して配置し、中央に軸孔を有し、剛性の高い平板状体から成る。可動部１００は、円状板から成る。
【００８０】
つまみ１１０は、可動部１００の下面の中央部から第２ベース９９の軸孔を通ってケースの外側にかけて形成する可動軸１１０ａと、可動部１００の下面の中央部から第２ベース９９の軸孔を通過した部分に形成するリング状片１１０ｂと、可動軸１１０ａの先端に形成するつかみ片１１０ｃとから成る。
【００８１】
可動ブロック１１２は、対向面を有し、可動部１００を可動をした際にこの対向面と固定ブロック１１１の対向面とが接して下方向に押し下げられる位置となるように可動部１００に固設される。
【００８２】
保持部１１３は、可動部１００の下面に設けられる凹部１１３ａと、この凹部の溝に設けられる小ばね１１３ｂとボール１１３ｃと、固定ブロック１１１と可動ブロック１１２との対向面同士が接して可動ブロック１１２が下方向に押し下げられる際に凹部１１３ａと対向する位置及び固定ブロック１１１と可動ブロック１１２とが離れている際に凹部１１３ａと対向する位置となる第２ベース９９の上面に設けられた２つの円弧溝１１３ｄとから成る。
【００８３】
第３柔軟弾性部１１４は、柔軟で復元力を有する。そして、脚１１６が上方向へ所定の可動をした際にケース９１とつまみ１１０との間隙を開封し、脚１１６が下方向へ所定の可動をした際にケース９１とつまみ１１０との間隙を密封するつまみ側の位置に設けられる。
【００８４】
なお、上述したうちの第１ベース９５、支柱９６、第２ベース９９、可動部１００、固定ブロック１１１、可動ブロック１１２、つまみ１１０、保持部１１３及び脚１１６によって、ケース９１に対して上下方向に脚１１６を可動すると共にその上下方向における脚１１６の位置の状態を保持する可動保持手段を構成する。
【００８５】
また、第１柔軟弾性部１０４と第３柔軟弾性部１１４とによって、可動保持手段で脚１１６を上方向に可動した位置の状態を保持する際にケース９１の開口部ｅを開封し、可動保持手段で脚１１６を下方向に可動した位置の状態を保持する際に前記ケース９１の開口部ｅを密封する開密封部を構成する。
【００８６】
第２の実施の形態の防水型秤は、上述のように構成され、次のような使用及び取扱いに伴って防水あるいは非防水の状態となる動作をする。
【００８７】
図１８、図１９に示すように、まず、ケース９１の開口部ｅが密封された防水状態への動作について詳述する。ケース９１を保持しながらつまみ１１０を一定以上の力で右回りに回すことによって、小ばね１１３ｂが撓んでボール１１３ｃが第２ベース９９の上面に設けられている円弧溝１１３ｄから外れると共に可動部１００が回転する。そして、可動部１１０に伴って動く可動ブロック１１２の対向面が固定ブロック１１１の対向面と接した状態となった位置で、ボール１１３ｃが第２ベース９９の上面に設けられている先の円弧溝１１３ｄとは別の円弧溝１１３ｄと嵌合する。
【００８８】
これによって、脚１１６、第２ベース９９、つまみ１１０、第１柔軟弾性部１０４及び第３柔軟弾性部１１４は、一様にケース９１に対して下方向に下がる。その際、脚側に設けられている第１柔軟弾性部１０４が、ケース９１と脚１１６との間隙を密封する。また、つまみ側に設けられている第３柔軟弾性部１１４が、ケース９１とつまみ１１０との間隙を密封する。更に、可動部１００は、ボール１１３ｃと別の円弧溝１１３ｄとの嵌合によって、一定以上の水平力が加わらないと回転しないでその状態を維持する。すなわち、ケース９１と脚１１６との間隙及びケース９１とつまみ１１０との間隙の部位を示すケースの開口部ｅが密封された防水状態となる。
【００８９】
一方、図２１、図２２に示すように、ケース９１の開口部ｅが開封された非防水状態への動作について詳述する。ケース９１を保持しながらつまみ１１０を一定以上の力で左回りに回すことによって、小ばね１１３ｂが撓んでボール１１３ｃが第２ベース９９の上面に設けられている別の円弧溝１１３ｄから外れると共に可動部１００が回転する。そして、可動部１００に伴って動く可動ブロック１１２の対向面が固定ブロック１１１の対向面と離れた状態となった位置で、ボール１１３ｃが第２ベース９９の上面に設けられている先の円弧溝１１３ｄと嵌合する。
【００９０】
これによって、脚１１６、第２ベース９９、つまみ１１０、第１柔軟弾性部１０４及び第３柔軟弾性部１１４は、一様にケース９１に対して下方向に下がる。その際、脚側に設けられている第１柔軟弾性部１０４が、ケース９１と脚との間隙を開封する。また、つまみ側に設けられている第３柔軟弾性部１１４が、ケース９１とつまみ１１０との間隙を開封する。更に、可動部１００は、ボール１１３ｃと先の円弧溝１１３ｄとの嵌合によって、一定以上の水平力が加わらないと回転しないでその状態を維持する。すなわち、設置面Ｆに置かれた際には、ケース９１と脚１１６との間隙及びケース９１とつまみ１１０との間隙の部位を示すケース９１の開口部ｅが開封された非防水状態となり、公知の秤と同様に測定できる。
【００９１】
以上、本発明の防水型秤は、第１、第２の実施の形態で説明したようなものであるが、ケース１、９１の開口部ａ、ｅの部分については、図２３乃至図３１に示すような形態であっても実施可能である。
【００９２】
図２３は、第２柔軟弾性部に変わるものを用いた態様を示す。開閉スイッチ１３１と脚１３２とが上下方向に摺動自在となるように開閉スイッチ１３１と脚１３２との間隙を柔軟シート部１３３で常に覆う。これによると、脚１３２に対して開閉スイッチ１３１が下方向に可動しても（図２３（ａ））、上方向に可動しても（図２３（ｂ））常に開閉スイッチ１３１と脚１３２との間隙は塞がれ、この部位からの水や埃の浸入を防ぐことができる。
【００９３】
図２４は、第１及び第２柔軟弾性部の形状を変形させた態様を示す。ケース１（又は９１）の内側から外側にかけて先端の狭まる斜面を有する錐状体状の第１柔軟弾性部１３４を脚１３７の側面に一周して設ける。また、ケース１（又は９１）の内側から外側にかけて先端の狭まる斜面を有する錐状体状の第２柔軟弾性部１３５を開閉スイッチ１３６の脚１３７と摺動する面に一周して設ける。一方、これらの錐状体の斜面に平行する斜面をケース１（又は９１）の開口部ａの端面と脚１３７の摺動する面に形成する。
【００９４】
図２５は、第３柔軟弾性部の形状を変形させた態様を示す。ケース９１の内側から外側にかけて先端の狭まる斜面を有する錐状体状の第３柔軟弾性部１３８をつまみ１３９の可動軸の側面に一周して設ける。また、この錐状体の斜面に平行する斜面をケース９１の開口部ｅの端面に形成する。
【００９５】
図２６は、第１及び第２柔軟弾性部を設ける位置と形状を変形させた態様を示す。ケース１（又は９１）の内側から外側にかけて先端の狭まる斜面を脚１４１の側面と開閉スイッチ１４０の摺動する面に一周して形成する。一方、脚１４１の側面の斜面に平行する斜面体状の第１柔軟弾性部を１４２をケース１（又は９１）の開口部ａの端面に設ける。また、開閉スイッチ１４０の摺動する面に平行する斜面体状の第２柔軟弾性部１４３を脚の摺動する面に設ける。
【００９６】
図２７は、第３柔軟弾性部を設ける位置と形状を変形させた態様を示す。ケース９１の内側から外側にかけて先端の狭まる斜面をつまみ１４４の可動軸の側面に一周して形成する。また、このつまみ１４４の可動軸の側面の斜面に平行する斜面体状の第３柔軟弾性部１４５をケース９１の開口部ｅの端面に設ける。
【００９７】
図２８は、図２４及び図２６を複合させた第１及び第２柔軟弾性部の態様を示す。ケース１（又は９１）の内側から外側にかけて先端の狭まる斜面を有する錐状体状の第１柔軟弾性部１４８を脚１４７の側面に一周して設ける。また、ケース１（又は９１）の内側から外側にかけて先端の狭まる斜面を有する錐状体状の第２柔軟弾性部１４９を開閉スイッチ１４６の脚１４７と摺動する面に一周して設ける。一方、脚１４７の側面の斜面に平行する斜面体状の第１柔軟弾性部を１５０をケース１（又は９１）の開口部ａの端面に設ける。また、開閉スイッチ１４６の摺動する面に平行する斜面体状の第２柔軟弾性部１５１を脚の摺動する面に設ける。
【００９８】
図２９は、図２５及び図２７を複合させた第３柔軟弾性部の態様を示す。ケース９１の内側から外側にかけて先端の狭まる斜面を有する錐状体状の第３柔軟弾性部１５３をつまみ１５２の可動軸の側面に一周して設ける。また、このつまみ１５２の可動軸の側面の斜面に平行する斜面体状の第３柔軟弾性部１５４をケース９１の開口部ｅの端面に設ける。
【００９９】
上述した図２４乃至図２９によると、それぞれの密封部分に密封時に付着した水滴が、各部分が開封された際に、斜面を伝わってケース１（又は９１）の外側に流れる。したがって、ケース１（又は９１）の内側への水滴の浸入を防ぐことができる。
【０１００】
図３０は、第１及び第２柔軟弾性部の形状をより有効に変形させた態様を示す。第１柔軟弾性部１５５と第２柔軟弾性部１５６が、脚１５７の可動方向に先端が狭まる形状を成す。そして、これら各々は、ケース１（又は９１）の開口部ａの周端部の上面とこれに対向する第２ベース１５９との間あるいは脚１５７の上面とこれに対向する開閉スイッチ１５８との間に設ける。
【０１０１】
図３１は、第３柔軟弾性部の形状をより有効に変形させた態様を示す。第３柔軟弾性部１６０は、脚の可動方向に先端が狭まる形状を成し、ケース９１の開口部ｅの周端部の上面とこれに対向するつまみ１６１のリング状片１６１ｂとの間に設ける。
【０１０２】
上述した図３０及び図３１によると、脚の可動方向に先端が狭まる形状の先端部分が各上面と接触して押された際に大きな変形を伴いながら密封する。したがって、確実に水や埃の浸入を防ぐことができる。
【０１０３】
【発明の効果】
以上説明したように、本発明の防水型秤は、計量の際には、開閉手段によってケースの開口部が開かれ、非計量の際には、開閉手段によってケースの開口部が密閉される。
【０１０４】
また、可動保持手段で脚を上方向に可動した位置の状態を保持する際に開密封部によってケースの開口部が開封され、可動保持手段によって脚を下方向に可動した位置の状態が保持される際に開密封部によってケースの開口部が密封される。
【０１０５】
また、本件防水型秤が設置面に置かれた際には、開閉スイッチが上方向に可動し、この上方向の動きが変換部により変換され、可動部が水平方向に可動し、ストッパーが解放される。そして、更に脚が上方向に可動し、第１柔軟弾性部と第２柔軟弾性部とが開封し、支柱を介しての荷重伝達が可能となる。一方、本件防水型秤が設置面から離れた際には、圧縮ばねによって脚及びストッパーが下方向に可動し、この下方向の動きが変換部により変換し、可動部が水平方向に可動し、ストッパーが上下方向に制限され、第１柔軟弾性部によってケースと脚との間隙が密封され、第２柔軟弾性部によって開閉スイッチと脚との間隙が密封される。
【０１０６】
また、本件防水型秤が設置面に置かれた際には、柔軟シート部が柔軟性を有したまま、開閉スイッチが上方向に可動し、この上方向の動きが変換部により変換され、可動部が水平方向に可動し、ストッパーが解放される。そして、更に脚が上方向に可動し、第１柔軟弾性部が開封し、支柱を介しての荷重伝達が可能となる。一方、本件防水型秤が設置面から離れた際には、圧縮ばねによって脚及びストッパーが下方向に可動し、この下方向の動きが変換部により変換し、可動部が水平方向に可動し、ストッパーが上下方向に制限され、第１柔軟弾性部によってケースと脚との間隙が密封されると共に、柔軟シート部によって開閉スイッチと脚との間隙が覆われている。
【０１０７】
また、つまみを作動することによって可動部が水平方向に可動し、可動ブロックが固定ブロックと接して下方向に押し下げられ、その位置の状態が保持部によって保持される。その際には、第１柔軟弾性部によってケースと脚との間隙が密封され、第３柔軟弾性部によってケースとつまみとの間隙が密封される。一方、つまみを作動することによって可動部が水平方向に可動し、固定ブロックと可動ブロックとが離れた状態にもなり、その位置の状態が保持部によって保持される。その際には、脚が上方向に可動し、第１柔軟弾性部と第３柔軟弾性部とが開封し、支柱を介しての荷重伝達が可能となる。
【０１０８】
したがって、これらは、精度低下を引き起こさずに計量を行うことができ、かつ、水や埃の浸入を防ぐことができる。よって、非計量時に丸洗いができ、防水型秤を清潔に保つことが可能となる。
【０１０９】
また、非計量の際にすべての脚の個数に対応した複数のストッパーによって、可動部すなわち脚の上方向への可動を押さえているので、外側から脚が押された際の脚とケースとの間隙の発生を強固に防ぐことができる。よって、内部への水の浸入による故障率の低下につながる。
【０１１０】
また、ある１ヶ所の開閉スイッチが押された際、この開閉スイッチと係わる脚は、この開閉スイッチと係わらないストッパーによって上方向への可動が押さえられているので、脚とケースとの間隙の発生を防ぐことができる。
【０１１１】
また、脚の側面又は摺動する面にはケースの内側から外側にかけて先端の狭まる斜面を有するので、ケースと脚との間隙が開封された際に、そこに付着していた水滴は、この斜面を伝わってケースの外側に流れる。
【０１１２】
また、開閉スイッチの摺動する面にはケースの内側から外側にかけて先端の狭まる斜面を有するので、開閉スイッチと脚との間隙が開封された際に、そこに付着していた水滴は、この斜面を伝わってケースの外側に流れる。
【０１１３】
また、つまみの軸の側面にはケースの内側から外側にかけて先端の狭まる斜面を有するので、ケースとつまみとの間隙が開封された際に、そこに付着していた水滴は、この斜面を伝わってケースの外側に流れる。
【０１１４】
したがって、これらは、それぞれにおける間隙が開封された際のケースの内側への水滴の浸入を高く防ぐことができる。よって、内部への水の浸入による故障率の低下につながる。
【０１１５】
また、脚の可動方向に先端が狭まる形状の先端部分が各上面と接触して押された際に大きな変形を伴いながら密封するので、確実に水や埃の浸入を防ぐことができる。よって、内部への水の浸入による故障率の低下につながる。
【図面の簡単な説明】
【図１】防水型秤の外観を表す斜視図である。
【図２】設置面に配置される前の状態を表す断面図である。
【図３】設置面に配置途中の状態を表す断面図である。
【図４】設置面に配置された状態を表す断面図である。
【図５】設置面に配置される前の状態から抜粋した内部機構を表す斜視図である。
【図６】設置面に配置途中の状態から抜粋した内部機構を表す斜視図である。
【図７】設置面に配置された状態から抜粋した内部機構を表す斜視図である。
【図８】設置面に配置される前の状態を表す断面図（変形例１）である。
【図９】設置面に配置途中の状態を表す断面図（変形例１）である。
【図１０】設置面に配置された状態を表す断面図（変形例１）である。
【図１１】設置面に配置される前の状態から抜粋した内部機構を表す斜視図（変形例１）である。
【図１２】設置面に配置途中の状態から抜粋した内部機構を表す斜視図（変形例１）である。
【図１３】設置面に配置された状態から抜粋した内部機構を表す斜視図（変形例１）である。
【図１４】設置面に配置される前の状態を表す断面図（変形例２）である。
【図１５】設置面に配置途中の状態を表す断面図（変形例２）である。
【図１６】設置面に配置された状態を表す断面図（変形例２）である。
【図１７】第２ベースと可動部との回転部を示す部分半断面図（変形例２）である。
【図１８】防水型秤の防水状態の際の状態を表す斜視図（第２の実施の形態）である。
【図１９】防水状態の際のケースの開口部を表すの部分断面図（第２の実施の形態）である。
【図２０】防水型秤のＡ部の詳細を表す部分拡大図（第２の実施の形態）である。
【図２１】防水型秤の非防水状態の際の状態を表す斜視図（第２の実施の形態）である。
【図２２】非防水状態の際のケースの開口部を表す部分断面図（第２の実施の形態）である。
【図２３】ケースの開口部を脚と開閉スイッチが係わり開密封する部分の別形態を表す部分断面図である。
【図２４】ケースの開口部を脚と開閉スイッチが係わり開密封する部分の別形態を表す部分断面図である。
【図２５】ケースの開口部をつまみが係わり開密封する部分の別形態を表す部分断面図である。
【図２６】ケースの開口部を脚と開閉スイッチが係わり開密封する部分の別形態を表す部分断面図である。
【図２７】ケースの開口部をつまみが係わり開密封する部分の別形態を表す部分断面図である。
【図２８】ケースの開口部を脚と開閉スイッチが係わり開密封する部分の別形態を表す部分断面図である。
【図２９】ケースの開口部をつまみが係わり開密封する部分の別形態を表す部分断面図である。
【図３０】ケースの開口部を脚と開閉スイッチが係わり開密封する部分の別形態を表す部分断面図である。
【図３１】ケースの開口部をつまみが係わり開密封する部分の別形態を表す部分断面図である。
【符号の説明】
１  ケース
２  電源スイッチ
３  表示部
４、９４  荷重検出部
５、９５  第１ベース
６、７、３７、９６  支柱
３７ａ  直状凸部
８  ストッパー
９、６９、９９  第２ベース
６９ａ  回転軸
１０、４０、７０、１００  可動部
７０ａ  円状板
７０ｂ  回転軸受け
１１、４１、７１  変換部
１１ａ、７１ａ  Ｌ型リンク片
１１ｂ、７１ｂ  Ｌ型リンク片用軸柱
７１ｃ  Ｉ型リンク片
７１ｄ  波状片
７１ｅ  波状片用軸柱
７１ｆ  引張ばね
７１ｇ  ばね用柱
４１ａ  曲状凸部
１２、１３  圧縮ばね
１４、１０４、１３４  第１柔軟弾性部
１５、１３５、１４９、１５１  第２柔軟弾性部
１６、１７、１１６、１３２、１３７、１４７  脚
１８、４８、７８、１３１、１３６、１４６、１５０  開閉スイッチ
１１０、１３９、１４４、１６１  つまみ
１１０ａ、１３９ａ  可動軸
１１０ｂ、１６１ｂ  リング状片
１１０ｃ  つかみ片
１１１  固定ブロック
１１２  可動ブロック
１１３  保持部
１１３ａ  凹部
１１３ｂ  小ばね
１１３ｃ  ボール
１１３ｄ  円弧溝
１１４、１３８、１４５  第３柔軟弾性部
１３３  柔軟シート部
ａ、ｅ  開口部
ｂ、ｃ、ｄ  孔
Ｆ  設置面
【図１】
0003830420.tif 000002
【図２】
0003830420.tif 000003
【図３】
0003830420.tif 000004
【図４】
0003830420.tif 000005
【図５】
0003830420.tif 000006
【図６】
0003830420.tif 000007
【図７】
0003830420.tif 000008
【図８】
0003830420.tif 000009
【図９】
0003830420.tif 000010
【図１０】
0003830420.tif 000011
【図１１】
0003830420.tif 000012
【図１２】
0003830420.tif 000013
【図１３】
0003830420.tif 000014
【図１４】
0003830420.tif 000015
【図１５】
0003830420.tif 000016
【図１６】
0003830420.tif 000017
【図１７】
0003830420.tif 000018
【図１８】
0003830420.tif 000019
【図１９】
0003830420.tif 000020
【図２０】
0003830420.tif 000021
【図２１】
0003830420.tif 000022
【図２２】
0003830420.tif 000023
【図２３】
0003830420.tif 000024
【図２４】
0003830420.tif 000025
【図２５】
0003830420.tif 000026
【図２６】
0003830420.tif 000027
【図２７】
0003830420.tif 000028
【図２８】
0003830420.tif 000029
【図２９】
0003830420.tif 000030
【図３０】
0003830420.tif 000031
【図３１】
0003830420.tif 000032